(57)【特許請求の範囲】
【請求項１】
端末であって、
本体とフレキシブルタッチパネルとを含み、
前記本体は、基板と、前記基板の対向した両端にそれぞれ設けられたイヤホンアセンブリ及びマイクロホンアセンブリとを含み、
前記フレキシブルタッチパネルは、前記基板に設けられ、かつ前記イヤホンアセンブリと前記マイクロホンアセンブリとの間に位置し、
前記マイクロホンアセンブリは、固定フレームと、振動部品と、第３の回路基板とをさらに含み、
前記振動部品は、前記固定フレームに固設され、前記第３の回路基板に電気的に接続されており、
前記固定フレームは、前記イヤホンアセンブリに向かって延びて前記第３の回路基板に当接したフックを含むことを特徴とする、端末。
【請求項２】
前記基板は、透明材料で一体成形されていることを特徴とする、請求項１に記載の端末。
【請求項３】
前記基板には、イヤホンキャビティと、前記イヤホンキャビティに対向して配置されたマイクロホンキャビティとが設けられ、
前記イヤホンアセンブリ及び前記マイクロホンアセンブリは、それぞれ前記イヤホンキャビティ及び前記マイクロホンキャビティ内に設けられていることを特徴とする、請求項１に記載の端末。
【請求項４】
前記イヤホンアセンブリは、第１のハウジングと、前記第１のハウジング内に取り付けられた第１の回路基板と、前記第１の回路基板に電気的に接続されたスピーカとを含むことを特徴とする、請求項１に記載の端末。
【請求項５】
前記第１のハウジングは、電池室が設けられ、
前記イヤホンアセンブリは、前記電池室に収容された電池と、前記電池を前記電池室に固定したブラケットとを含むことを特徴とする、請求項４に記載の端末。
【請求項６】
前記ブラケットは、前記電池室の開口に係合したカバープレートと、前記カバープレートから延びている弾性当接部とを含み、
前記カバープレートは、前記電池の端面に覆設され、
前記弾性当接部は、前記電池における前記電池の端面に隣接する側面に弾性的に当接していることを特徴とする、請求項５に記載の端末。
【請求項７】
前記マイクロホンアセンブリは、第２のハウジングと、前記第２のハウジング内に固設された第２の回路基板と、前記第２の回路基板に設けられかつ前記第２の回路基板に電気的に接続されたマイクロフォンとを含むことを特徴とする、請求項４に記載の端末。
【請求項８】
前記固定フレームは、前記第２のハウジング内に固設されていることを特徴とする、請求項７に記載の端末。
【請求項９】
前記第３の回路基板は、前記第２の回路基板と電気的に接続されていることを特徴とする、請求項８に記載の端末。
【請求項１０】
前記第２の回路基板と前記第３の回路基板とは、前記第１の回路基板に対して傾斜するように配置され、
前記第１の回路基板に対する前記第２の回路基板の傾斜角は、前記第１の回路基板に対する前記第３の回路基板の傾斜角より小さいであることを特徴とする、請求項９に記載の端末。
【請求項１１】
前記マイクロホンアセンブリは、ＬＥＤライトをさらに含み、
前記第２のハウジングは、前記ＬＥＤライトに対応する位置に透光孔が設けられ、
前記ＬＥＤライトから発した光が前記透光孔を通して前記基板に照射することを特徴とする、請求項７に記載の端末。
【請求項１２】
前記第２のハウジング内には、支持バーが形成され、
前記ＬＥＤライトは、前記支持バーと前記第２のハウジングの内壁面との間に挟設されていることを特徴とする、請求項１１に記載の端末。
【請求項１３】
前記マイクロホンアセンブリは、スイッチボタンをさらに含み、
前記スイッチボタンは、前記第２の回路基板に設けられかつ前記第２の回路基板に電気的に接続されたスイッチ部と、前記スイッチ部に設けられたボタン部とをさらに含むことを特徴とする、請求項７に記載の端末。
【請求項１４】
前記基板には、前記基板の長手方向に沿って延びている溝が設置され、
前記溝内には、接続線が設けられ、
前記接続線は、前記イヤホンアセンブリと前記マイクロホンアセンブリとを接続することを特徴とする、請求項１に記載の端末。
【請求項１５】
前記フレキシブルタッチパネルは、導電経路として前記マイクロホンアセンブリと前記イヤホンアセンブリとを電気的に接続していることを特徴とする、請求項１に記載の端末。
【請求項１６】
台座と、前記台座に配置された請求項１〜１５のいずれか１項に記載の端末とを含むことを特徴とする、電子装置。
【請求項１７】
前記台座は、収容キャビティが設けられた台座本体と、前記収容キャビティに収容された第４の回路基板と、前記収容キャビティに覆設されかつ前記収容キャビティの開口を封止したカバープレートとを含むことを特徴とする、請求項１６に記載の電子装置。
【発明の詳細な説明】
【技術分野】
【０００１】
本発明は、通信電子製品の分野に関し、特に、端末及び電子装置に関する。
【背景技術】
【０００２】
従来の家庭用電話は、全体構造が嵩張り、電話機を例として、一般的にプラスチック筐体の上部に設けられたプラスチックボタンを押すことにより、電話番号をダイヤルして通話を行う。
【０００３】
しかしながら、プラスチックボタンは、構造が複雑な機械式ボタンであるため、使用中に損傷が生じやすく、ボタンの不具合を引き起こし、電話の通常の使用に影響を与えることがある。
【発明の概要】
【発明が解決しようとする課題】
【０００４】
上記した従来技術の問題点に鑑み、本発明は、信頼性の高いを端末を提供する。
【０００５】
また、本発明は、上記端末を用いた電子装置をさらに提供する。
【０００６】
上記した目的を達成するために、本発明の実施形態は、下記のような技術的構成を提供する。
【０００７】
第１の態様において、本発明は、端末であって、
本体とフレキシブルタッチパネルとを含み、
前記本体は、基板と、互いに対向して前記基板にそれぞれ設けられたイヤホンアセンブリ及びマイクロホンアセンブリとを含み、
前記フレキシブルタッチパネルは、前記基板に設けられ、かつ前記イヤホンアセンブリと前記マイクロホンアセンブリとの間に位置している端末を提供する。
【０００８】
第２の態様において、本発明は、台座と、前記台座に配置された前記端末とを含む電子装置を提供する。
【０００９】
本発明に係る端末及び電子装置は、従来の機械式ボタンの代わりに、基板にフレキシブルタッチパネルを設けることにより、ユーザが使用中にタッチ制御機能を実現可能であるため、長期間にわたってボタンを押すことによる損傷を防止し、端末の使用信頼性を大幅に向上させる。同時に、当該基板全体が薄く、かつ当該イヤホンアセンブリ及びマイクロホンアセンブリが基板の両端にそれぞれ設けられるため、通話を実現すると同時に、端末全体の構造コンパクト性を向上させることができ、さらに、端末全体の厚さを減少させることができる。
【００１０】
以下、本発明の実施形態又は従来技術における技術的構成をより明確に説明するために、実施形態又は従来技術の説明に必要な図面について簡単に述べる。下記の説明に係る図面は、本発明のいくつかの実施形態に過ぎず、当業者にとって、創造的な努力なしにこれらの図面により他の図面を得ることは明らかである。
【図面の簡単な説明】
【００１１】
【図１】図１は、本発明の実施形態による電子装置の構造概略図である。
【図２】図２は、本発明の実施形態による端末の分解概略図である。
【図３】図３は、図１における端末のＩＩＩ−ＩＩＩ方向に沿った断面図である。
【図４】図４は、本発明の実施形態によるイヤホンアセンブリの分解概略図である。
【図５】図５は、図３におけるＶ部分の部分拡大図である。
【図６】図６は、本発明の実施形態によるマイクロホンアセンブリの分解概略図である。
【図７】図７は、図３におけるＶＩＩ部分の反転した部分拡大図である。
【図８】図８は、本発明の実施形態による台座の分解概略図である。
【図９】図９は、図８の別の角度から見た概略図である。
【発明を実施するための形態】
【００１２】
以下、本発明の実施形態に係る図面を参照しながら本発明の実施形態における技術的構成を明確かつ完全に説明する。下記に説明した実施形態は、本発明のいくつかの実施形態に過ぎず、すべての実施形態ではないことが明らかである。当業者が創造的な努力なしに本発明の実施形態により得られた全ての他の実施形態は、本発明の保護範囲に属するものである。
【００１３】
説明の便宜上、本明細書において、例えば、「．．．の下に」、「．．．の下方に」、「下」、「．．．の上に」、「上」などの空間的相対用語で、図面に示す１つの部品又は特徴と別の部品又は特徴との関係を説明することができる。１つの部品又は層が別の部品又は層「にある」、「に接続される」又は「に結合される」と言及される場合、その部品又は層が別の部品又は層に直接にあってもよく、その部品又は層が別の部品又は層に直接に接続又は結合されてもよく、その部品又は層と別の部品又は層との間に介在部品又は層が存在してもよいと理解されるべきである。
【００１４】
本明細書で使用される用語は、特定の実施形態を説明するためのものに過ぎず、本発明を制限するものではないと理解されるべきである。本明細書で使用される場合、別段の明記がない限り、単数形の「１つ」及び「当該」は、複数形も含むように意図されている。さらに、本明細書で使用される場合、用語「含む」及び／又は「備える」は、記載された特徴、全体、ステップ、部品及び／又はアセンブリの存在を示すものであるが、１つ又は複数の他の特徴、全体、ステップ、部品、アセンブリ及び／又はそれらの組み合わせの存在若しくは追加を排除するものではない。本明細書において、以下の説明は、本発明を実施するための好適な実施形態であるが、本発明の一般的な原則を説明するためのものに過ぎず、本発明の範囲を限定するものではない。本発明の保護範囲は、添付の特許請求の範囲に基づくべきである。
【００１５】
図１を参照すると、本発明の実施形態に係る電子装置１０００は、台座２００と、上記台座２００に配置された端末１００とを含む。
【００１６】
本発明の実施形態において、上記電子装置１０００は、電話機、携帯電話機などの電子装置であってもよいが、これらに限定されない。本実施形態において、電話機である上記電子装置１０００を例として説明する。
【００１７】
図２〜図７を合わせて参照すると、本発明の実施形態に係る端末１００の構造概略図である。上記端末１００は、本体１と、フレキシブルタッチパネル２とを含む。上記本体１は、基板１１と、イヤホンアセンブリ１２と、マイクロホンアセンブリ１３とを含む。上記イヤホンアセンブリ１２及びマイクロホンアセンブリ１３は、互いに対向して上記基板１１にそれぞれ設けられている。上記フレキシブルタッチパネル２は、上記基板１１の表面に設けられ、かつ上記イヤホンアセンブリ１２と上記マイクロホンアセンブリ１３との間に位置している。
【００１８】
具体的には、上記基板１１には、イヤホンキャビティ１１１と、上記イヤホンキャビティ１１１に対向して配置されたマイクロホンキャビティ１１２とが設けられている。上記イヤホンアセンブリ１２及び上記マイクロホンアセンブリ１３は、上記イヤホンキャビティ１１１及び上記マイクロホンキャビティ１１２内にそれぞれ設けられている。上記イヤホンアセンブリ１２は、上記イヤホンキャビティ１１１に覆設されて上記イヤホンキャビティ１１１の開口を封止したイヤホンキャップ１２１を含む。上記マイクロホンアセンブリ１３は、上記マイクロホンキャビティ１１２に設けられて上記マイクロホンキャビティ１１２の開口を封止したマイクロホンカバー１３１を含む。上記イヤホンキャップ１２１及び上記マイクロホンカバー１３１によって上記イヤホンキャビティ１１１及び上記マイクロホンキャビティ１１２の開口を封止することにより、上記イヤホンキャビティ１１１及びマイクロホンキャビティ１１２へのほこりやごみの侵入を防止することができ、掃除に便利である。
【００１９】
本実施形態において、上記基板１１は透明材質で一体成形されている。具体的には、上記基板１１は、アクリル樹脂を材料として一体成形されており、このようにして、基板１１の透明度を保証して加工に便利である。また、上記基板１１がアクリル樹脂材質からなることにより、上記端末１００全体の質量が軽くなり、さらに携帯に便利である。上記端末１００の外観装飾性をさらに向上させるために、上記基板１１は、円弧状のブロック構造であり、かつ上記基板１１の縁部が面取りされている。円弧状のブロック構造の設計により、上記基板１１を人間工学的設計に一致させ、ユーザの握持に便利であると同時に、上記基板１１の縁部を面取りすることにより、ユーザ握持の快適性をさらに向上させることができる。好ましくは、上記基板１１の断面形状は半月形であり、このようにして、優れた外観装飾性をさらに保証すると同時に、上記イヤホンキャビティ１１１及び上記マイクロホンキャビティ１１２を設けるために十分なスペースを提供することができる。
【００２０】
さらに改良するために、上記基板１１の表面には、ダイヤル数字（図示せず）が設けられており、このようにして、ユーザが上記フレキシブルタッチパネル２を通して当該ダイヤル数字を見ることができ、さらにダイヤル通話などの機能を実現することができる。本実施形態において、上記ダイヤル数字は、レーザー彫刻により上記基板１１の表面に形成されており、このようにして、その使用寿命及び良好な装飾効果を保証する。また、上記ダイヤル数字がレーザー彫刻により上記基板１１に形成されることにより、上記基板１１の外観にエンボス加工の効果を与え、上記端末１００全体の装飾効果をさらに向上させる。なお、他の実施形態において、上記ダイヤル数字は、上記基板１１の成形と同時に上記基板１１の表面に一体的に形成されてもよい。
【００２１】
本実施形態において、上記イヤホンキャビティ１１１は、上記基板１１の端部に設けられた円弧状のキャビティであり、上記マイクロホンキャビティ１１２は、上記基板１１における上記イヤホンキャビティ１１１から離れた端部に設けられた円弧状のキャビティであり、このようにして、上記基板１１全体の形状を維持することができる。
【００２２】
図２、図３、図４及び図５を合わせて参照すると、上記イヤホンアセンブリ１２は、第１のハウジング１２２と、電池１２３と、ブラケット１２４と、第１の回路基板１２５と、スピーカ１２６とをさらに含む。上記第１のハウジング１２２には、上記電池１２３を収容するための電池室１２２ａが設けられている。本実施形態において、上記第１のハウジング１２２は、上記イヤホンキャビティ１１１のキャビティ形状に合わせた円弧状のハウジングである。上記イヤホンキャビティ１１１の容積が小さいため、それに応じて上記第１のハウジング１２２の容積も小さくなっている。上記電池室１２２ａは、四角形のキャビティであり、上記第１のハウジング１２２の一側に設けられており、このようにして、上記電池１２３の配置に便利である。なお、他の実施形態において、上記第１のハウジング１２２の形状は、上記イヤホンキャビティ１１１のキャビティ形状に応じて調整可能であり、例えば、上記イヤホンキャビティ１１１が四角形キャビティである場合、上記第１のハウジング１２２が四角形ハウジングであり得る。
【００２３】
さらに改良するために、本実施形態において、上記ブラケット１２４は、上記電池室１２２ａに取り外し可能に接続され、かつ上記電池室１２２ａの開口を封止しており、このようにして、上記電池室１２２ａに侵入したほこりやごみの掃除が困難であるという問題を防止することができる。また、上記ブラケット１２４が上記電池室１２２ａに取り外し可能に接続されるため、上記電池室１２２ａを随時開けて上記電池１２３の取付け、交換又は点検を行うのに便利である。具体的には、上記電池室１２２ａの縁部には、複数の係合溝（図示せず）が設けられ、上記ブラケット１２４の縁部には、上記複数の係合溝に対応して複数の突起１２４ａが設けられ、上記複数の突起１２４ａは、上記複数の係合溝に係合しており、このようにして、上記ブラケット１２４が上記電池室１２２ａに接続されている。係合接続により、上記ブラケット１２４の取り外しを便利にすることができると同時に、上記ブラケット１２４が上記電池室１２２ａの開口を完全に封止することができる。なお、他の実施形態において、上記ブラケット１２４は、他の形で上記電池室１２２ａに接続されてもよい。例えば、上記ブラケット１２４の一端が上記電池室１２２ａに回転可能に接続され、上記ブラケット１２４の他端が上記電池室１２２ａにねじ止め固定されることにより、上記ブラケット１２４と上記電池室１２２ａとを接続を実現することができる。又は、上記ブラケット１２４の一端が上記電池室１２２ａに回転可能に接続され、上記ブラケット１２４の他端に突起が設けられ、それに対応して上記電池室１２２ａの一端に係合溝が設けられ、当該突起が当該係合溝に係合することにより、上記ブラケット１２４と上記電池室１２２ａとの接続を実現することもできる。
【００２４】
さらに、上記ブラケット１２４は、カバープレート１２４ｂと、カバープレート１２４ｂの一端に形成された弾性当接部１２４ｃとを含む。上記カバープレート１２４ｂは、電池室１２２ａの開口縁に係合し、かつ電池室１２２ａ内に収容された電池１２３の端面に当接しており、このようにして、電池室１２２ａからの電池１２３の脱落を防止する。当該弾性当接部１２４ｃは、略Ｕ字状を呈し、カバープレート１２４ｂの一端から下に折り曲げられた後に上に折り曲げられてなる。弾性当接部１２４ｃは、電池１２３の端面に隣接する側面に弾性的に当接しており、このようにして、電池１２３をさらに固定して電池１２３の電池室１２２ａでの揺動を防止する。弾性当接部１２４ｃが弾性を有するため、より安定した効果を得ることができる。
【００２５】
上記第１の回路基板１２５は、上記第１のハウジング１２２内に設けられ、かつ上記電池１２３に電気的に接続されている。本実施形態において、上記イヤホンアセンブリ１２全体の構造をよりコンパクトにするために、上記第１の回路基板１２５は、上記電池室１２２ａの一側に設けられており、このようにして、上記第１の回路基板１２５と上記電池１２３との配線空間を節約する。具体的には、上記第１のハウジング１２２内には、上記電池室１２２ａと並設された支持台１２２ｂが設けられ、上記第１の回路基板１２５は、上記支持台１２２ｂに固設されている。好ましくは、上記第１の回路基板１２５が四角形の板状構造であるため、上記第１の回路基板１２５の固定を便利にするために、上記第１のハウジング１２２内には、係合溝１２２ｃが設けられ、上記支持台１２２ｂは、上記係合溝１２２ｃの内壁に延びる階段部である。なお、他の実施形態において、上記第１の回路基板１２５は、上記ブラケット１２４に直接固設されてもよく、このようにして、上記第１の回路基板１２５と上記電池１２３との配線空間をさらに節約する。
【００２６】
上記スピーカ１２６は、上記第１の回路基板１２５に設けられ、かつ上記第１の回路基板１２５に電気的に接続されている。本実施形態において、上記スピーカ１２６には、金属弾性片である２つのピン（図示せず）が設けられ、上記２つのピンは、上記第１の回路基板１２５の対応するピンに電気的に接続されており、このようにして、上記スピーカ１２６と上記第１の回路基板１２５との電気的接続を実現する。上記スピーカ１２６を上記第１の回路基板１２５に直接設けることにより、上記第１のハウジング１２２の占有空間を節約することができると同時に、上記スピーカ１２６におけるピンを上記第１の回路基板１２５に直接当接させることができるため、上記スピーカ１２６と上記第１の回路基板１２５との接続を強固にし、使用中に上記スピーカ１２６と上記第１の回路基板１２５との分離による通話効果不良の問題を防止し、さらに、上記イヤホンアセンブリ１２の使用信頼性を確保する。具体的には、上記第１の回路基板１２５は、一方の表面が支持台１２２ｂに当接し、対向する他方の表面が上記スピーカ１２６に接続されており、そのため、上記スピーカ１２６がブラケット１２４とほぼ同じ高さになっており、換言すれば、スピーカ１２６がブラケット１２４と並設されている。
【００２７】
上記イヤホンキャップ１２１は、上記イヤホンキャビティ１１１に取り外し可能に設けられている。本実施形態において、上記イヤホンキャップ１２１は、上記イヤホンキャビティ１１１のキャビティ形状に合わせた円弧状板であり、かつ上記イヤホンキャップ１２１は不透明板であり、このようにして、上記イヤホンキャビティ１１１におけるアセンブリを遮蔽する。好ましくは、上記基板１１と協力して上記本体１全体に優れた外観効果を与えるために、上記イヤホンキャップ１２１は白色プラスチックで形成されてもよく、上記イヤホンキャップ１２１の表面に白色コーティングを塗布してもよい。上記イヤホンキャップ１２１は、上記イヤホンキャビティ１１１にねじ止めされて接続されており、このようにして、その接続強固性を保証し、上記イヤホンキャップ１２１と上記イヤホンキャビティ１１１との分離による上記イヤホンキャビティ１１１へのごみやほこりなどの侵入に起因した上記スピーカ１２６及び上記第１の回路基板１２５の使用異常を防止する。
【００２８】
さらに、上記イヤホンキャップ１２１には、順次配列された複数の発音孔１２１ａが設けられており、このようにして、上記スピーカ１２６によって音声を伝送してユーザに聴かせることを保証する。具体的には、上記複数の発音孔１２１ａは、上記イヤホンキャップ１２１における上記スピーカ１２６に対応する位置に設けられており、このようにして、発音効果をさらに保証する。好ましくは、上記複数の発音孔１２１ａの内部には、フィルタ（図示せず）が覆設されており、このようにして、ほこりやごみなどが上記発音孔１２１ａを塞ぐことにより生じた発音効果不良の問題を防止することができる。同時に、上記発音孔１２１ａの内部に設けられた上記フィルタにより、ほこりやごみなどが上記発音孔１２１ａを通して上記スピーカ１２６及び上記第１の回路基板１２５に侵入することを防止し、上記第１の回路基板１２５における部品及び上記スピーカ１２６の使用信頼性を確保することができる。
【００２９】
図２、図３、図６及び図７を合わせて参照すると、上記マイクロホンアセンブリ１３は、第２のハウジング１３２と、上記第２のハウジング１３２に固設された第２の回路基板１３３と、マイクロフォン１３４と、複数のＬＥＤライト１３５とをさらに含む。本実施形態において、上記第２のハウジング１３２は、上記マイクロホンキャビティ１１２のキャビティ形状に合わせた円弧状のハウジングである。上記第２の回路基板１３３は、四角形の板状構造であり、好ましくは、上記第２の回路基板１３３が上記第２のハウジング１３２内にねじ止め固設されている。具体的には、上記第２の回路基板１３３には、ねじ挿通用の複数のねじ孔（図示せず）が設けられ、上記第２のハウジング１３２には、複数のねじスタッド（図示せず）が設けられ、ねじが上記ねじ孔及び上記ねじスタッドにおけるねじ穴に挿通されており、このようにして、上記第２の回路基板１３３が上記第２のハウジング１３２に固定することができる。第２のハウジング１３２の内部には、第２の回路基板１３３に近接して垂直に延びる複数の支持バー１３２ａが形成されている。第１の回路基板１２５は、水平に配置され、第２の回路基板１３３は、第１の回路基板１２５に対して傾斜するように配置されている。特に、第２の回路基板１３３は、イヤホンキャビティ１１１から離れた方向に沿ってマイクロホンカバー１３１に向かって傾斜している。
【００３０】
上記マイクロフォン１３４は、上記第２の回路基板１３３に設けられ、かつ上記第２の回路基板１３３に電気的に接続されており、このようにして、上記マイクロフォン１３４の電気的導通を実現する。本実施形態において、上記マイクロフォン１３４は、接続線を介して上記第２の回路基板１３３に電気的に接続されてもよく、上記マイクロフォン１３４に設けられたピンを介して上記第２の回路基板１３３に接続されてもよい。マイクロフォン１３４は、第２の回路基板１３３におけるマイクロホンカバー１３１に対向する表面に取り付けられている。
【００３１】
上記複数のＬＥＤライト１３５は、上記第２のハウジング１３２内に並設され、かつ上記第２の回路基板１３３に電気的に接続されている。ＬＥＤライト１３５は、支持バー１３２ａと第２のハウジング１３２の内壁面との間に挟設されており、このようにして、位置決め機能を果たす。本実施形態において、上記複数のＬＥＤライト１３５は、折り曲げられたフレキシブル回路基板１３５ａを介して第２の回路基板１３３に電気的に接続されている。当然、ＬＥＤライト１３５がアルミニウム基板に設けられた後、上記アルミニウム基板を上記第２のハウジング１３２に固設してもよい。また、上記第２のハウジング１３２の内部空間を節約するために、上記複数のＬＥＤライト１３５は、上記第２の回路基板１３３に直接設けられてもよい。上記複数のＬＥＤライト１３５は、光の弱い環境又は暗い環境において上記基板１１に照射するための光を発するように構成されており、このようにして、ユーザが上記基板１１におけるダイヤル数字を見ることができ、さらにダイヤル通話を実現することができる。具体的には、上記ＬＥＤライト１３５から発した光を上記基板１１に照射させるために、上記第２のハウジング１３２は、上記複数のＬＥＤライト１３５に対応する位置に透光孔１３２ｂが設けられている。上記複数のＬＥＤライト１３５から発した光が上記透光孔１３２ｂを通して上記基板１１に照射することにより、光の弱い環境又は暗い環境においても上記端末１００を使用可能であり、その適用範囲を拡大することができる。上記複数のＬＥＤライト１３５は、同じ色の光を発してもよく、異なる色の光を発してもよい。例えば、上記複数のＬＥＤライト１３５は、白色光、赤色光、又は黄色光を同時に発することができる。なお、上記ＬＥＤライト１３５の数は、実際の照明ニーズに応じて、例えば、２つ、３つ又はそれ以上の数に設定され得る。
【００３２】
上記マイクロホンアセンブリ１３は、固定フレーム１３６と、第３の回路基板１３７と、振動部品１３８とをさらに含む。上記固定フレーム１３６は、上記第２のハウジング１３２内に固設されている。本実施形態において、上記第２のハウジング１３２の内部空間を節約するために、上記固定フレーム１３６は、上記第２のハウジング１３２の形状に合わせた円弧状のブラケットであり、且つ上記ＬＥＤライト１３５の一側に設けられている。上記固定フレーム１３６は、上記第２のハウジング１３２内にねじ止め固定されており、このようにして、その接続強固性を保証する。
【００３３】
上記第３の回路基板１３７は、第２のハウジング１３２の内部斜面に固設され、かつ折り曲げられたフレキシブル回路基板１３７ａを介して上記第２の回路基板１３３に電気的に接続されている。また、第３の回路基板１３７は、第２の回路基板１３３よりも傾斜するように配置され、すなわち、第１の回路基板１２５に対する第３の回路基板１３７の傾斜度が第１の回路基板１２５に対する第２の回路基板１３３の傾斜度よりも高くなっている。つまり、第１の回路基板１２５に対する第３の回路基板１３７の傾斜角は、第１の回路基板１２５に対する第２の回路基板１３４の傾斜角よりも大きくなっている。本実施形態において、上記第３の回路基板１３７は、上記振動部品１３８に電気的に接続されており、このようにして、上記振動部品１３８の電気的導通を実現し、さらにユーザに注意を喚起する。また、上記第２の回路基板１３３及び第３の回路基板１３７がそれぞれ異なる電子部品に接続される設計により、電子部品間の干渉を低減することができる。なお、他の実施形態において、上記振動部品１３８を上記第２の回路基板１３３に直接的かつ電気的に接続するのに十分な空間があれば、上記第３の回路基板１３７は省略可能であり、すなわち、上記フレキシブル回路基板１３７ａも同時に省略可能であり、このようにして、上記マイクロホンアセンブリ１３全体の構造をいっそうコンパクトにすると同時に、部品間の組立の手間を減らして製造コスト及び組立コストを低減することができる。
【００３４】
また、上記第３の回路基板１３７には、通信モジュール（図示せず）と、ブルートゥース（登録商標）モジュール（図示せず）と、制御モジュール（図示せず）とがさらに設けられている。上記通信モジュールとブルートゥースモジュールと制御モジュールとは、互いに電気的に接続され、かつ上記第３の回路基板１３７に電気的に接続されている。上記通信モジュールは、上記マイクロフォン１３４に電気的に接続されており、このようにして、上記マイクロフォン１３４の通話機能を実現する。上記ブルートゥースモジュールは、上記端末１００のブルートゥース機能を実現するように構成されており、このようにして、上記ブルートゥースモジュールを介して上記端末１００と他の端末との間でデータ伝送又はデータ共用などを行うことができる。上記制御モジュールは、上記通信モジュール及び上記ブルートゥースモジュールを制御してそれぞれの機能を実現するように構成されている。
【００３５】
上記振動部品１３８は、上記固定フレーム１３６に固設されている。本実施形態において、上記振動部品１３８は、上記固定フレーム１３６における上記第２のハウジング１３２の開口から離れた面(図７における固定フレーム１３６の底面)に固設されており、このようにして、上記第２のハウジング１３２における上記振動部品１３８の占有空間を節約する。好ましくは、上記振動部品１３８は、上記固定フレーム１３６にねじ止め固定され、ワイヤ又はリード線を介して上記第３の回路基板１３７に接続されており、このようにして、導通を実現する。第２のハウジング１３２の内部には、振動部品１３８を収容する振動キャビティが形成されている。固定フレーム１３６は、振動キャビティを被覆している。固定フレーム１３６は、バックル１３６ａをさらに含み、上記バックル１３６ａは、垂直接続部１３６１と水平フック１３６２とを含む。フック１３６２は、イヤホンアセンブリ１２に向かって延びて、第３の回路基板１３７を位置決めするように第３の回路基板１３７に当接している。
【００３６】
上記マイクロホンカバー１３１は、上記マイクロホンキャビティ１１２に取り外し可能に設けられている。本実施形態において、上記マイクロホンカバー１３１は、上記マイクロホンキャビティ１１２のキャビティ形状に合わせた円弧状板であり、かつ上記マイクロホンカバー１３１は、不透明板であり、このようにして、上記マイクロホンキャビティ１１２におけるアセンブリを遮蔽する。好ましくは、上記基板１１と協力して上記本体１全体に優れた外観効果を与えるために、上記マイクロホンカバー１３１は白色プラスチックで形成されてもよく、上記マイクロホンカバー１３１の表面に白色コーティングを塗布してもよい。上記マイクロホンカバー１３１は、上記マイクロホンキャビティ１１２にねじ止めされて接続されており、このようにして、その接続強固性を保証し、上記マイクロホンカバー１３１と上記マイクロホンキャビティ１１２との分離による上記イヤホンキャビティ１１２へのごみやほこりなどの侵入によって生じた上記マイクロフォン１３４及び上記第２の回路基板１３３の使用異常を防止する。
【００３７】
さらに、上記マイクロホンアセンブリ１３は、スイッチボタン１３９をさらに含み、スイッチボタン１３９は、上記端末１００のオン／オフを制御するように、例えば上記端末１００のスクリーンロック／ロック解除、又は上記端末１００の起動／停止などを制御するように構成される。上記スイッチボタン１３９は、上記第２の回路基板１３３に設けられかつ上記第２の回路基板１３３に電気的に接続されたスイッチ部１３９ａと、上記スイッチ部１３９ａに設けられたボタン部１３９ｂとを含む。上記マイクロホンカバー１３１には、上記ボタン部１３９ｂに対応して係合溝１３１ａが設けられており、このようにして、上記ボタン部１３９ｂを露出させる。上記ボタン部１３９ｂはシリコーンボタンであり、このようにして、ユーザが上記ボタン部１３９ｂを押圧するときに良好な触感を得ることができる。また、上記ボタン部１３９ｂは円形ボタンであり、このようにして、外観装飾性が得られ、上記端末１００の外観装飾性をさらに向上させることができる。
【００３８】
さらに改良するために、上記基板１１には、上記基板１１の長手方向に沿って延びてかつ上記イヤホンキャビティ１１１及び上記マイクロホンキャビティ１１２に接続された少なくとも１つの溝１４が設けられている。上記少なくとも１つの溝１４内には、上記イヤホンアセンブリ１２とマイクロホンアセンブリ１３とを接続したワイヤ（図示せず）が設けられている。本実施形態において、上記基板１１は透明であり、かつ全体形状が円弧状のブロック構造であるので、上記イヤホンアセンブリ１２とマイクロホンアセンブリ１３との間の接続線が上記基板１１から露出して上記端末１００全体の外観装飾性に影響を与えることを防止するために、上記基板１１には、上記基板１１の縁部に沿って配置された少なくとも１つの溝１４が設けられている。具体的には、上記イヤホンアセンブリ１２と上記マイクロホンアセンブリ１３との間で４つの上記接続線を介して接続する必要があるので、上記接続線が１つの上記溝１４内に集中して上記基板１１から露出しやすくなることを防止するために、上記溝１４は、４つ設けられ、かつ１つの上記接続線のみを収容可能な幅を有する。好ましくは、上記接続線は、直径０．１ｍｍの銀線又は銅線であり、このようにして、上記接続線の直径が小さいため、使用時に上記接続線がユーザの邪魔にならず、さらに上記端末１００の外観装飾性を確保すると同時に、上記マイクロホンアセンブリ１３と上記イヤホンアセンブリ１２との間の電気的接続を保証する。なお、他の実施形態において、上記溝１４の数は、実際の接続状況に応じて調整可能であり、例えば、２つ又は３つ設定され得る。なお、フレキシブルタッチパネル２自体は、導電性を有するため、マイクロホンアセンブリ１３とイヤホンアセンブリ１２とを導通させる導電経路とし得るので、いくつかの他の実施形態において接続線を設けなくてもよい。
【００３９】
上記フレキシブルタッチパネル２は、透明なタッチパネルである。本実施形態において、上記基板１１は円弧状のブロック構造であるので、上記基板１１の形状に合わせるために、上記フレキシブルタッチパネル２は、上記基板１１に合わせた円弧状に折り曲げられ得る。上記フレキシブルタッチパネル２は、上記基板１１における上記ダイヤル数字を設けた表面に貼り付けられており、このようにして、フレキシブルタッチパネル２を通して上記ダイヤル数字を見えて、さらに上記フレキシブルタッチパネル２においてタッチ制御によりダイヤルを実現することができる。上記フレキシブルタッチパネル２と上記基板１１とは透明であるため、上記端末１００は全体として透明な端末のように見えるので、優れた外観装飾性及びユーザ体験性を有する。また、上記フレキシブルタッチパネル２は薄型であるため、上記端末１００全体を薄型化することができる。同時に、当該フレキシブルタッチパネル２はフレキシブルスクリーンであるため、筐体によって保護することなくそのまま上記端末１００のフロントカバーとして使用可能であり、上記端末１００の部品の組立をさらに簡略化することができる。また、フレキシブルタッチパネル２の機械的構造が簡単であるため、使用中に損傷しにくくなり、端末１００の正常な使用を確保する。
【００４０】
さらに、上記フレキシブルタッチパネル２の表面を損傷から保護したり、ユーザの使用により上記フレキシブルタッチパネル２の表面で生じた指紋やほこりなどを減少したりするために、上記端末１００は、保護フィルム３をさらに含む。上記保護フィルム３は、上記フレキシブルタッチパネル２に貼り付けられ、かつ上記基板１１の縁部を被覆すると同時に上記イヤホンキャップ１２１及び上記マイクロホンカバー１３１を露出させる。具体的には、上記保護フィルム３は、ユーザのニーズに応じて、強化ガラスフィルム又は非光沢フィルムなどであってもよい。
【００４１】
本発明の実施形態に係る端末１００は、上記基板１１及び上記フレキシブルタッチパネル２が設けられることにより、上記端末１００全体は、外観上透明な端末であり、より優れた外観装飾性を有する。同時に、上記フレキシブルタッチパネル２によりユーザのタッチ機能を実現可能であるため、従来ではボタンにより押圧するときに生じたボタン失効の問題を防止し、上記端末１００の使用信頼性をさらに保証することができる。また、上記基板１１が薄く、かつ上記イヤホンアセンブリ１２とマイクロホンアセンブリ１３とが離間して設けられるため、上記端末１００全体は薄型になり、優れた携帯性及び高いユーザ体験性を有する。
【００４２】
図１、図８及び図９を参照すると、本発明の実施形態に係る台座２００の構造概略図に示すように、上記台座２００は、上記端末１００を配置して上記端末１００に対して充電するように構成されている。
【００４３】
具体的には、上記台座２００は、台座本体２０１と、上記台座本体２０１に設けられた第４の回路基板２０２と、カバープレート２０３とを含む。本実施形態において、上記電子装置１０００の外観装飾性をさらに向上させかつ上記端末１００の配置を便利にするために、上記台座本体２０１は碗状構造であり、かつ上記台座本体２０１の底面２０１ａが平面であり、このようにして、上記台座本体２０１をデスクや支持台などの場所に便利に置くことができる。また、上記端末１００の外観に合わせるために、上記台座本体２０１は、アクリル樹脂のような透明材料で形成されてもよい。好ましくは、上記電子装置１０００全体の質量を低減するために、上記台座本体２０１は中空の碗状構造であり、かつ上記台座本体２０１の一端が傾斜するように配置されており、このようにして、上記台座本体２０１の底面２０１ａが増大し、さらに上記台座本体２０１の配置、固定を便利にする。なお、他の実施形態において、上記台座本体２０１は、例えば、四角形のブロック構造、円形のブロック構造などの他の形状であってもよい。
【００４４】
上記台座本体２０１には、上記第４の回路基板２０２を収容する収容キャビティ２０１ｂが設けられている。本実施形態において、上記台座本体２０１の内部には円形ボス２０１ｃが設けられ、上記円形ボス２０１ｃには上記収容キャビティ２０１ｂが設けられ、上記収容キャビティ２０１ｂの内部には支持件２０１１が設けられている。上記第４の回路基板２０２は、上記支持件２０１１に取り外し可能に係合している。なお、他の実施形態において、上記第４の回路基板２０２は、上記支持件２０１１にねじ止め固定されてもよい。
【００４５】
上記カバープレート２０３は、上記収容キャビティ２０１ｂに覆設され、かつ上記収容キャビティ２０１ｂの開口を封止している。本実施形態において、上記台座本体２０１が透明材料で形成された場合、上記カバープレート２０３は不透明材料からなり、このようにして、ユーザが上記収容キャビティ２０１ｂにおける接続線及び電子部品の接続状態を見ることを防止し、上記台座２００全体の装飾効果を向上させる。上記カバープレート２０３は、上記収容キャビティ２０１ｂのキャビティ形状に合わせた円形の板状構造であり、かつその後に上記端末１００を便利に配置するために、上記カバープレート２０３の中間部が凹設されており、このようにして、当上記端末１００が上記カバープレート２０３に配置されたときに、円弧状構造である上記基板１１は、上記カバープレート２０３と完全に接触して配置信頼性を保証することができる。なお、他の実施形態において、上記カバープレート２０３は、四角形の板状構造、円弧形の板状構造などの構造であってもよい。
【００４６】
さらに、上記カバープレート２０３は、上記収容キャビティ２０１ｂに対向する面に上記収容キャビティ２０１ｂの形状に合わせた円柱形ボス２０３ａが設けられ、かつ当該円柱形ボス２０３ａは、中空の設計である。上記円柱形ボス２０３ａには、上記収容キャビティ２０１ｂに接続するためのねじ山が設けられており、このようにして、上記カバープレート２０３が上記収容キャビティ２０１ｂを覆うような効果を実現する。また、ねじ接続により、上記カバープレート２０３を随時取り外して上記第４の回路基板２０２の接続状態を確認可能であり、点検、メンテナンス及び修理に便利である。なお、他の実施形態において、上記カバープレート２０３は、バックル接続により上記収容キャビティ２０１ｂに接続されてもよく、上記収容キャビティ２０１ｂにねじ止め固定されてもよい。
【００４７】
上記台座２００が上記端末１００を充電できるようにするために、上記第４の回路基板２０２には、上記第４の回路基板２０２に電気的に接続されて上記端末１００を充電するように構成された充電モジュール（図示せず）が設けられている。本実施形態において、充電をさらに便利にするために、上記充電モジュールは無線充電モジュールであり、上記端末１００内には、上記無線充電モジュールに対応して無線感知モジュール（図示せず）が設けられ、上記無線感知モジュールと上記無線充電モジュールとは感知可能に接続されて充電を実現する。具体的には、上記無線感知モジュールは、上記端末１００の第２の回路基板１２５に設けられ、かつ上記第２の回路基板１２５に電気的に接続されている。上記端末１００に対して充電しようとする場合、上記フレキシブルタッチパネル２の片面を上記カバープレート２０３に置けば感知充電を実現することができる。当然、電池１２３までの電流伝送の距離を減少させるために、上記無線感知モジュールは、第１の回路基板１２５に配置されてもよい。
【００４８】
なお、他の実施形態において、上記充電モジュールは、有線充電モジュールであってもよい。上記台座本体２０１には、上記充電モジュールに電気的に接続された充電インターフェース（図示せず）が設けられている。上記端末１００の基板１１には、上記充電インターフェースに対応してソケット（図示せず）が設けられている。上記ソケットは、充電ケーブルを介して上記充電インターフェースに接続されている。充電ケーブルにより上記端末１００を充電する場合、上記充電ケーブルが上記充電インターフェースと上記ソケットとを接続すれば、上記端末１００は、上記カバープレート２０３に配置されてもよく、上記カバープレート２０３と離間して配置されてもよい。
【００４９】
また、他の実施形態において、上記基板１１に充電接続コンタクトが設けられ、それに対応して上記台座本体２０１に充電コンタクトが設けられることができる。このようにして、上記基板１１における充電接続コンタクトと上記台座本体２０１における充電コンタクトとを当接させると、上記台座２００の上記基板１１に対する充電導通を実現することができる。
【００５０】
本発明の実施形態に係る電子装置１０００は、上記台座２００によって上記端末１００を充電することにより、上記端末１００は充電器を別途設ける必要とせず、部品点数及びコストを低減することができる。また、上記台座２００と上記端末１００との間で無線充電を採用するため、上記端末１００の充電をより便利にし、ユーザの使用体験をさらに向上させる。
【００５１】
本発明に係る端末１００及びその電子装置１０００は、従来の機械式ボタンの代わりに、基板１１にフレキシブルタッチパネルを設けることにより、ユーザが使用中にタッチ制御機能を実現可能であるため、長期間にわたってボタンを押すことによる損傷を防止し、端末１００の使用信頼性を大幅に向上させる。同時に、当該基板１１全体が薄く、かつ当該イヤホンアセンブリ１２及びマイクロホンアセンブリ１３が基板１１の両端にそれぞれ設けられるため、通話を実現すると同時に、端末１００全体の構造コンパクト性を向上させることができ、さらに、端末１００全体の厚さを減少させることができる。
【００５２】
本明細書の説明において、用語「一実施形態」、「いくつかの実施形態」、「例示」、「具体的な例示」、「いくつかの例示」、又は「第１の実施形態」などのような記載は、当該実施形態又は例示で説明した具体的な特徴、構造、材料、又は特性が本発明の少なくとも１つの実施形態又は例示に組み込まれることを意味する。本明細書において、上述した用語の例示的な表現は、必ずしも同じ実施形態又は例示を指すものではない。また、記載された具体的な特徴、構造、材料、又は特性は、任意の適切な形で、いずれか１つ又は複数の実施形態又は例示に組み込まれ得る。
【００５３】
上述した実施形態は、その技術的構成による保護範囲を限定するものではない。上述した実施形態の主旨及び原則に基づく如何なる修正、均等交換、及び改良は、その技術的構成による保護範囲内に含まれるべきである。
【図１】
0006586527.tif 000002
【図２】
0006586527.tif 000003
【図３】
0006586527.tif 000004
【図４】
0006586527.tif 000005
【図５】
0006586527.tif 000006
【図６】
0006586527.tif 000007
【図７】
0006586527.tif 000008
【図８】
0006586527.tif 000009
【図９】
0006586527.tif 000010